(57)【要約】      （修正有）【課題】天板と、天板を下方から支持する天板受けと、天板受けを下方から支持する脚体とを具備し、天板の側縁部に沿ってサイドデスクトップパネルを配置するにようにしたデスクにおいて、隣接配置されるデスクの一方の天板のみの使用領域を不当に狭めることなく、フロントデスクトップパネルの有無に関わりなく、且つ少なくとも後端部においては天板と縁を切った状態でサイドデスクトップパネルを取り付け得るようにしたデスクを提供する。【解決手段】サイドデスクトップパネルＳＰの後端部を、天板受け２の後端部に着脱可能に取り付けられるサイドデスクトップパネル用支持部材４に対して回動可能且つ着脱可能に支持させるように構成した。【選択図】図６
2004229825.tif 000002
【特許請求の範囲】
【請求項１】
天板と、天板を下方から支持する天板受けと、天板受けを下方から支持する脚体とを具備し、天板の側縁部に沿ってサイドデスクトップパネルを配置するにようにしたものであって、
サイドデスクトップパネルの後端部を、天板受けの後端部に着脱可能に取り付けられるサイドデスクトップパネル用支持部材に対して回動可能且つ着脱可能に支持させるように構成してなることを特徴とするデスク。
【請求項２】
天板を天板受けに対して所定範囲内で前後方向に移動させ得る天板移動機構を具備している請求項１記載のデスク。
【請求項３】
サイドデスクトップパネルの下縁を天板の上面から離間させている請求項２記載のデスク。
【請求項４】
サイドデスクトップパネルの後端部を、前記サイドデスクトップパネル用支持部材との間に介在させた後部支持軸によって着脱可能に支持させるように構成している請求項１、２又は３記載のデスク。
【請求項５】
後部支持軸を回動中心としてサイドデスクトップパネルを水平回動可能としている請求項４記載のデスク。
【請求項６】
天板の使用端部において隣接配置される他のデスクの天板との境界部位となる前記天板の側縁上にクランプ部材を着脱可能に取り付けるとともに、このクランプ部材に支持させた前部支持軸によってサイドデスクトップパネルの前端部を着脱可能に支持させるように構成している請求項１、２、３、４又は５記載のデスク。
【請求項７】
サイドデスクトップパネル用支持部材を、天板受けに対して下方から着脱可能としている請求項１、２、３、４、５又は６記載のデスク。
【請求項８】
サイドデスクトップパネルの前端部を天板受けの前端部に着脱可能に取り付けられるサイドデスクトップパネル用支持部材に支持させた前部支持軸によって支持させるようにしている請求項１記載のデスク。
【請求項９】
天板の反使用端部に沿ってフロントデスクトップパネルを配置し得るように構成している請求項１、２、３、４、５、６、７又は８記載のデスク。
【請求項１０】
フロントデスクトップパネルの両側端部を、天板受けに着脱可能に取り付けられるフロントデスクトップパネル用支持部材に支持される側部支持軸によって支持させている請求項９記載のデスク。
【請求項１１】
フロントデスクトップパネル用支持部材を、天板受けに対して下方から着脱可能としている請求項１０記載のデスク。
【請求項１２】
サイドデスクトップパネル用支持部材に隣接させてフロントデスクトップパネルを配置し得るようにしている請求項１１記載のデスク。
【発明の詳細な説明】
【０００１】
【発明の属する技術分野】
本発明は、天板の側縁に沿って配置されるサイドデスクトップパネルを設けるようにしたデスクに関するものである。
【０００２】
【従来の技術】
オフィス等で使用されるデスクには、天板の側端部に沿ってサイドデスクトップパネルを取り付けるようにしたものがある。そして、このようなサイドデスクトップパネルによって、複数のデスクを天板の側縁同士を突き合わせて隣接配置した場合に、各天板の上方空間を区画するようにしている。このようなデスクの従来品としては、天板の反使用端に沿ってフロントデスクトップパネルを配置し、このフロントデスクトップパネルの側端部にサイドデスクトップパネルの後端部を保持させるとともに、サイドデスクトップパネルの下端部を天板に支持させた構成のものが挙げられる（例えば、特許文献１参照）。
【０００３】
【特許文献１】
特開平１１−１２７９６６号公報（第３図等）
【０００４】
【発明が解決しようとする課題】
ところが、このような構成のデスクにおいて天板の反使用縁側における下方空間に配線ダクト等を設けている場合、天板を一時的に前方へ引き出してこの配線ダクトを上方へ開放し配線コードを出し入れすることができるようにするための天板移動機構を設けることがあるが、サイドデスクトップパネルがフロントデスクトップパネルと天板の両方に支持されている構成であるため、天板のみを前方へ引き出すことができず、一旦サイドデスクトップパネルを完全に取り外し、配線コードの配線ダクトへの収納後に天板を元の位置に戻してから再びサイドデスクトップパネルを取り付けなければならないために、配線作業が不便であるという問題がある。
【０００５】
この他にも、天板の側端面にサイドデスクトップパネルを取り付けるように構成したものも考えられているが、このようなものであると、隣接配置したデスクの天板の側縁同士間にサイドデスクトップパネルが配置されることになって、天板の側縁同士を突き当てたデスクの隣接配置が不可能であり、複数のデスクを隣接配置した後でサイドデスクトップパネルの着脱をするためには、少なくとも１台のデスク自体を当該隣接配置位置から移動させるという面倒な作業が必須となる。
【０００６】
そこで本発明は、以上のような問題に鑑みて、隣接配置されるデスクの一方の天板のみの使用領域を不当に狭めることなく、フロントデスクトップパネルの有無に関わりなく、且つ少なくとも後端部においては天板と縁を切った状態でサイドデスクトップパネルを取り付け得るようにしたデスクを提供しようとするものである。
【０００７】
【課題を解決するための手段】
すなわち本発明のデスクは、天板と、天板を下方から支持する天板受けと、天板受けを下方から支持する脚体とを具備し、天板の側縁部に沿ってサイドデスクトップパネルを配置するにようにしたものであって、サイドデスクトップパネルの後端部を、天板受けの後端部に着脱可能に取り付けられるサイドデスクトップパネル用支持部材に回動可能且つ着脱可能に支持させるように構成してなることを特徴とするものである。
【０００８】
このような構成のデスクであれば、サイドデスクトップパネルを、天板受けに取り付けたサイドデスクトップパネル用支持部材に対して直接的又は間接的に着脱可能に支持させていることから、複数のデスクを隣接させて配置した後でも必要に応じてサイドデスクトップパネルを着脱することが可能となるため、作業性が著しく向上する。サイドデスクトップパネルは、サイドデスクトップパネル用支持部材に対して回動可能に設けられているため、例えば２台のデスクを隣接配置している際に、天板を一時的に前方へ引き出して反使用端部側の配線ダクト等を上方へ開放し配線コードを出し入れする場合などには、サイドデスクトップパネルを取り外さずに一方の天板側へ回動させることによって退避させれば他方の天板の前後動作が可能となる。また、隣接配置されるデスクの一方にのみサイドデスクトップパネルを取り付ければよいので、部品点数の削減やコストダウンを図ることも可能である。さらに、隣接配置されるデスクの両方の天板の上方空間に対して、それらの側縁に沿ってサイドデスクトップパネルの厚み寸法の半分ずつ略均等に配置することができるので、天板の側縁同士を突き当てた場合に何れか一方のみの天板の使用領域を狭めるということがない。
【０００９】
また、サイドデスクトップパネルは天板とは直接関係なく天板受けに支持されているため、天板を天板受けに対して所定範囲内で前後方向に移動させ得る天板移動機構をこのデスクに設けたとしても、少なくともサイドデスクトップパネルの後端部側においては天板の移動を妨げることがなく、天板の移動時にサイドデスクトップパネルを完全に天板受けから取り外す必要もない。この場合、特にサイドデスクトップパネルの下縁を天板の上面から離間させることで、サイドデスクトップパネルの存在による天板の前後移動への干渉をさらに低減することができる。
【００１０】
具体的に、サイドデスクトップパネルをサイドデスクトップパネル用支持部材に対して容易に回動可能且つ着脱可能とするためには、サイドデスクトップパネルの後端部を、当該後端部と前記サイドデスクトップパネル用支持部材との間に介在させた後部支持軸によって着脱可能に支持させるように構成することが好ましい。この場合、後部支持軸を回動中心としてサイドデスクトップパネルを水平回動可能とすれば、上述したように複数のデスクを隣接配置した場合に、サイドデスクトップパネルを一時的に一方のデスクの天板側へ回動により移動させておき、他方の天板を前後移動させて配線作業を行うことが容易に実現できるので、このような配線作業が非常に便利となる。
【００１１】
さらに、サイドデスクトップパネルの前端部側における支持構造の一例としては、天板の使用端部において隣接配置される他のデスクの天板との境界部位となる前記天板の側縁上にクランプ部材を着脱可能に取り付けるとともに、このクランプ部材に支持させた前部支持軸によってサイドデスクトップパネルの前端部を着脱可能に支持させるように構成したものが挙げられる。この場合、クランプ部材における天板への挟持部を緩めた状態とすれば、サイドデスクトップパネルを取り外さなくても、サイドデスクトップパネルをクランプ部材と共に後部支持軸を中心とする回動動作によって一方の天板側へ退避させることができるため、天板の前後移動を伴う配線作業をより簡便に行うことができるようになる。
【００１２】
以上の構成に加えて、天板受けに対するサイドデスクトップパネル用支持部材の着脱作業の容易化を図るには、サイドデスクトップパネル用支持部材を、天板受けに対して下方から着脱可能とすることが望ましい。
【００１３】
また、サイドデスクトップパネルの前端部側における支持構造は、上述のようなクランプ部材を用いたものに限らず、後端部側の支持構造と同様に、サイドデスクトップパネルの前端部を天板受けの前端部に着脱可能に取り付けられるサイドデスクトップパネル用支持部材に支持させた前部支持軸によって支持させるようにしたものとすることもできる。
【００１４】
このようなサイドデスクトップパネルを備えたデスクにおいては、天板の反使用端部に沿ってフロントデスクトップパネルを配置し得るように構成することも可能である。特に、フロントデスクトップパネルの両側端部を、天板受けに着脱可能に取り付けられるフロントデスクトップパネル用支持部材に支持される側部支持軸によって支持させるように構成すれば、サイドデスクトップパネルと同様の構成によってフロントデスクトップパネルの配置が可能となる。
【００１５】
この場合、フロントデスクトップパネル用支持部材の着脱作業をも容易化するには、フロントデスクトップパネル用支持部材を、天板受けに対して下方から着脱可能とすることが好ましい。具体的に、サイドデスクトップパネル及びフロントデスクトップパネルの支持構造をコンパクトにとりまとめて、省スペース化を図るためには、サイドデスクトップパネル用支持部材に隣接させてフロントデスクトップパネルを配置し得るように構成するとよい。
【００１６】
【発明の実施の形態】
以下、本発明の一実施形態を、図面を参照して説明する。
【００１７】
図１に斜視図、図２に正面図、図３に平面図をそれぞれ示す本実施形態は、オフィス等において執務用に使用されるデスクＤである。このデスクＤは主として、天板１と、この天板１を支持する一対の天板受け２、及び各天板受け２を支持する一対の脚体３によって構成されており、天板１の反使用縁１ａに沿ってフロントデスクトップパネルＦＰを、天板１の側縁１ｂに沿ってサイドデスクトップパネルＳＰを配置し得るようにしている。なお、図１〜図３は、同種の複数のデスクＤを、それらの天板１の側縁１ｂ同士を突き合わせて隣接配置した状態を示しており、サイドデスクトップパネルＳＰは、その厚み方向の中央部を隣接配置される天板１、１同士の境界となる側縁１ｂ、１ｂ上に位置付けて配置している。また図４は、１台のデスクＤのみを示す側面図である。以下に、各部の具体的構成について説明する。
【００１８】
まず天板１は、所定の幅寸法、奥行き寸法及び厚み寸法を有し概略矩形状をなすものである。本実施形態では天板１として、木製のものを適用しているが、必ずしもこの限りではなく、金属製その他の一般的な天板に適用される素材であれば適宜のものが利用できる。なお、天板１は天板受け２に対して前後方向へスライド移動可能とされており、そのためにこのデスクＤには天板移動機構Ｘを設けているが、この点については後述する。
【００１９】
天板受け２は、天板１の両側端部１ｂに沿ってその下面側に配置され、天板１を下方から支持するものである。本実施形態においてこれら天板受け２は、天板１の奥行き方向に長手方向を合致させた、例えばアルミダイキャスト等により形成される長尺な部材であり、奥行き方向中央部を通り天板１の幅方向と平行な鉛直面を境にして前後面対称に形成してあって、天板１の側端部１ｂの左右を問わず使用できるようにしている。詳述すると、図５、図６及び図７に示すようにこの天板受け２は、主として左右に対をなす内側壁２１及び外側壁２２、前後に対をなす前壁２３及び後壁２４、並びに底壁（図示省略）によって構成され、上方へ開放した中空の部材である。また、内側壁２１と外側壁２２との間には、前壁２３から後壁２４に亘って前後に延びる一対の縦リブ２５、２５を底壁から起立させて設けるとともに、これら縦リブ２５、２５を横断するように複数の横リブ２６を底壁から起立させて設けることによって天板受け２の強度向上を図っている。なお、各リブ２５、２６は、内側壁２１及び外側壁２２よりも高さ寸法を小さくしてある。また、これらリブ２５、２６に付帯させて複数箇所に、後述する天板移動機構Ｘを構成する移動ガイド部材Ｘ１を固定するために利用されるタップ孔２ａや、この天板受け２を脚体３に固定するために利用されるタップ孔２ｂを形成している。天板受け２にはこの他にも、天板１の反使用端部１ａに沿って配置されるフロントデスクトップパネルや側端部１ｂに沿って配置されるサイドデスクトップパネルを天板受け２に取り付ける際に利用されるタップ孔２ｃ、２ｄも左右に並べて且つ下方に開口させて形成している。さらに、前端部及び後端部には、一対の縦リブ２５、２５間に亘って部分的に肉厚を設けた厚肉部２７を形成しており、この厚肉部２７に上下方向に亘って底壁２４をも貫通させた貫通孔２７ａを形成している。また、内側壁２１の前端部及び後端部においてちょうど前記厚肉部２７の真横に該当する位置には、上縁の一部を矩形状に切り欠いた切欠部２１ａを形成している。この切欠部２１ａは、天板受け２に配線トレイ用ブラケットを取り付けるために利用されるものであるが、ここでは詳述を省略する。なお、内側壁２１の奥行き方向中央部には、内向きに突出する角状突起部２８が設けられており、左右の天板受け２の角状突起部２８に角パイプ状をなす横桟２９の両側端部を挿入してビス止めすることにより、左右の天板受け２を連結するようにしている。
【００２０】
ここで、天板移動機構Ｘについて説明する。本実施形態において天板移動機構Ｘは、図５に示すように、天板１を天板受け２に対して所定範囲で前後にスライド移動させるためのものである。そのために、天板移動機構Ｘを、天板受け２に設けられる移動ガイド部材Ｘ１及びスライダＸ２、横桟２９に設けられるローラＸ３及びストッパＸ４、天板２の下面側に設けられるスライド部材Ｘ５及び天板２の下面に形成されるストッパ係合孔Ｘ６によって構成している。
【００２１】
移動ガイド部材Ｘ１は、金属板を折り曲げ加工して上片Ｘ１１及び左右一対の側片Ｘ１２を形成したものであり、左右の天板受け２にそれぞれ奥行き方向中央部を挟んで前後に対をなして２つずつ設けている。すなわち移動ガイド部材Ｘ１は、各側片Ｘ１２、Ｘ１２をそれぞれ内側壁２１と一方の縦リブ２５との間、外側壁２２と他方の縦リブ２５との間に挿入するとともに、上片Ｘ１１を縦リブ２５に載置して、上片Ｘ１１の前端部及び後端部にそれぞれ２つずつ形成した貫通孔Ｘ１３を前記タップ孔２ａとそれぞれ合致させた位置でこれら貫通孔Ｘ１３及びタップ孔２ａに挿入されるビスＸ１４により固定される。また、上片Ｘ１１には前後方向に延びる長孔Ｘ１５が形成してあり、この長孔Ｘ１５の前後方向への開口長の範囲内で天板１を前後に移動させられるようにしている。なお、この長孔Ｘ１５の前端部は、他の部位よりも広く開口させてある。これに対してスライド部材Ｘ５は、移動ガイド部材Ｘ１の長孔Ｘ１５に対応して天板１の両側端部にそれぞれ前後に対をなして下面側から取り付けられるものであり、長孔と係合するスライド部材本体Ｘ５１と、このスライド部材本体Ｘ５１から上方へ突出させたネジ軸Ｘ５２とからなり、ネジ軸Ｘ５２を天板１の下面に螺合させている。スライド部材本体Ｘ５１は、長孔Ｘ１５の前端部の開口幅よりも小さく且つそれ以外の部位よりも大きい下部分と、移動ガイド部材Ｘ１の上片Ｘ１１に載り長孔Ｘ１５の各部よりも大きい円盤状をなす上部分とからなり、下部分と上部分とを移動ガイド部材Ｘ１の肉厚分程度離間させている。そして、天板１に取り付けたスライド部材Ｘ５の下部分を、天板受け２に取り付けた移動ガイド部材Ｘ１の長孔Ｘ１５に対してその前端部から下方へ挿入することで、天板１を長孔Ｘ１５に沿ってその開口長手寸法の範囲でスライド移動可能としている。
【００２２】
ストッパＸ４は、横桟２９の長手方向中央部においてその前面に取り付けられるストッパ本体Ｘ４２に、図示しない押しボタン等の操作部を下方から押圧することで天板１の下面に対して上下に突没する係合片Ｘ４１を備えた構成を有している。一方、天板１の下面における幅方向中央部には、上述した可動範囲において図３に示すように、天板１を最も手前（使用端１ｃ側）へ引き出した引出位置Ｐと最も奥方（反使用端１ａ側）へ押し込んだ押込位置Ｑにおいて前記ストッパＸ４の係合片Ｘ４１と対応するように、当該下面に穿設したストッパ係合孔Ｘ６を形成している。すなわち、天板１を引出位置Ｐ又は押込位置ＱにおいてストッパＸ４の操作部を操作して係合片Ｘ４１を上動させてストッパ係合孔Ｘ６に挿入すれば、それらの位置Ｐ，Ｑで天板１を移動不能に固定することができ、操作部への操作により係合片Ｘ４１を下降させておくと、係合片Ｘ４１とストッパ係合孔Ｘ６との係合が解除されて天板１が前後方向にスライド移動し得る状態となる。
【００２３】
また、スライダＸ２及びローラＸ３は、天板１の移動をスムーズに行うための構成部材である。まずスライダＸ２は、表面が滑らかな合成樹脂製の円柱状をなすスライダ本体Ｘ２１と、このスライダ本体Ｘ２１の下面から下方に突出させたネジ軸Ｘ２２とからなり、ネジ軸Ｘ２２を天板受け２の前端部における厚肉部２７の貫通孔２７ａに螺合させることによって天板受け２に取り付けられ、スライダ本体Ｘ２１の上面を天板１の下面に添接させて天板１の滑らかなスライド移動を実現するものである。ローラＸ３は、横桟２９の長手方向中央部においてストッパＸ４の左右にそれぞれ１つずつ取り付けたものである。すなわち、水平軸を有する取付部材Ｘ３１を横桟２９の背面に取り付けて、水平軸に転動可能に支持させたローラ本体Ｘ３２を横桟２９の上面よりもやや上方に突出させている。そして、ローラ本体Ｘ３２を天板１の下面に添接させており、天板１の前後移動時にローラ本体Ｘ３２が水平軸回りに回転することによって、天板１のスムーズなスライド移動を実現するようにしている。なお、このような天板移動機構Ｘを設けた二台のデスクＤを、天板１の反使用端１ａ同士を対面させて対面式で配置した場合、天板１同士の衝突による衝撃を緩和するために、各天板１の後向面の両側端部には、後方へ突出させた例えば合成樹脂製等の緩衝部材１１、１１をビス止めなどによって取り付けている。
【００２４】
一対の脚体３、３は、いずれも同一構成を有するとともに、奥行き方向中央部を通る鉛直面を境に前後に面対称となるように形成したものであるので、左右を問わずに使用できるものである。また、これら脚体３、３は、天板受け２、２及び横桟２９と共に門形の脚構造体を構成している。この脚体３は主として、床面に接地される脚ベース３１と、脚ベース３１の上面に立設され前後一対の鉛直中空部を有する支柱カバー３２と、支柱カバー３２の各鉛直中空部に挿入され下方から天板受け２を支持する前後一対の支柱３３、３３とから構成されており、支柱カバー３２に対して支柱３３、３３を上下にスライド移動させることによって天板１の高さを変更し得る高さ調節機構Ｙを備えている。この高さ調節機構Ｙは、支柱カバー３２の鉛直中空部内において脚ベース３１に立設させた図示しない一対の芯材と支柱３３、３３とを、予め設定された複数の天板高さのうちから選択される一の天板高さにおいてビス止め等により係合させることにより、天板１の高さ変更を可能とするものである。
【００２５】
サイドデスクトップパネルＳＰは、後端部を天板受け２の後端部に取り付けられるサイドデスクトップパネル用支持部材４に支持させた後部支持軸Ｍ１に支持させ、且つ前端部を天板１の使用縁部１ａに取り付けられるクランプ部材６に支持させた前部支持軸Ｍ２に支持させた状態で配置される。以下、これら各部材の具体的構造及びサイドデスクトップパネルＳＰの支持構造について説明する。
【００２６】
まず、サイドデスクトップパネルＳＰは、図６、図７、図８、図９、図１１及び図１２に示すように、前端部側の上端部に丸みを帯びさせた概略矩形板状をなすものであり、前端部側の下端部を矩形上に切り欠いた凹部ＳＰ３を形成している。このようなサイドデスクトップパネルＳＰは、上述した全体形状に対応した芯材ＳＰ１と、その両表面側を被覆するようにそれぞれ取り付けられる表面板ＳＰ２、ＳＰ２の合計３枚の板材を貼り合わせた構造を有するものである。そして、サイドデスクトップパネルＳＰの底面に開口させてその後端部及び前端部に、芯材ＳＰ１及び表面板ＳＰ２、ＳＰ２に亘る円筒状の孔部ＳＰ４、ＳＰ５を形成している。特に前端部側の孔部ＳＰ５は、前記凹部ＳＰ３の下向面に開口させてある。
【００２７】
このようなサイドデスクトップパネルＳＰの後端部を支持するサイドデスクトップパネル用支持部材４は、例えばアルミダイキャスト等による起立板状をなす一体成形品であり、図６、図７、図８及び図９に示すように後端部側を外側方に向けて湾曲させている。サイドデスクトップパネル用支持部材４の後端部には、後部支持軸Ｍ１の下端部を上方から挿入させるための支持孔４１を形成している。また、前後方向中央部から前端部に亘る領域には、上下に貫通させた貫通孔４２を略一直線状に並べて複数形成している。そして、いずれか一つの貫通孔４２を天板受け２の後端部に形成した外側のタップ孔２ｃに下方から一致させ、下方から貫通孔４２に挿入したボルト４Ｂ１をタップ孔２ｃに締着することによって、このサイドデスクトップパネル用支持部材４を天板受け２に取り付けている。その際、サイドデスクトップパネル用支持部材４を天板受け２に隙間なく取り付けるために、サイドデスクトップパネル用支持部材４の上面は天板受け２の底壁及び後壁２４の外面形状に対応させて、前端部側を低く且つ後端部側を高くしてその境界を滑らかに湾曲させて連続した形状としている。またこのとき、支持孔４１の中心を、天板１の反使用縁１ａの後方位置において天板１の側縁１ｂを通る直線上に位置付けるようにしている。後部支持軸Ｍ１は、このようにして天板受け２に取り付けられたサイドデスクトップパネル用支持部材４の後端部の支持孔４１に下端部を挿入した状態で配置される金属製軸状部材である。そして、この後部支持軸Ｍ１の上端部をサイドデスクトップパネルＳＰの前端部側の孔部ＳＰ４に挿入することによって、サイドデスクトップパネルＳＰの後端部側を支持している。したがって、サイドデスクトップパネルＳＰは、その厚み方向の中央部が、隣接する天板１、１同士の境界となる側縁１ｂ、１ｂ上に位置付けられていることになる。
【００２８】
サイドデスクトップパネルＳＰの前端部側を支持するクランプ部材５は、図１１及び図１２に示すように、天板１を上下に挟み込むことができる上片５１１及び下片５１２を具備する挟持部５１と、天板１よりも上方に位置付けられ上方に開口する円筒部５２を備え、図示しない操作部に対する操作によって挟持部５１の上片５１１と下片５１２とを近接又は離反させて天板１を強く挟みつけ、或いは緩めることができるようにした通常の構成を有するものである。本実施形態では、サイドデスクトップパネルＳＰをその厚み方向の中央部を天板１の側縁１ｂ上に位置付けるために、このクランプ部材５を隣接配置した天板１、１の前端部同士に跨って取り付けている。そして、円筒部５２に金属製軸状部材である前部支持軸Ｍ２の下端部を上方挿入させた状態で、この前部支持軸Ｍ２の上端部をサイドデスクトップパネルＳＰの前端部における孔部ＳＰ５に下方から挿入することによって、サイドデスクトップパネルＳＰを起立姿勢となるように支持している。そしてこの状態で、サイドデスクトップパネルＳＰの下縁ＳＰ６は、天板１の上面よりも上方に位置付けるようにしている。このような支持構造では、クランプ部材５の挟持部５１における上片５１１及び５１２による天板１の挟み込みを緩めた場合、クランプ部材５及び前部支持軸Ｍ２ごとサイドデスクトップパネルＳＰの前端部を左右に振れば、サイドデスクトップパネルＳＰは後部支持軸Ｍ１を回動中心とした水平回動動作を行い得ることになる。
【００２９】
フロントデスクトップパネルＦＰは、両側端部を天板受け２の後端部に取り付けられるサイドデスクトップパネル用支持部材６に支持させた側部支持軸Ｎ１、Ｎ１に支持させた状態で配置される。以下、これら各部材の具体的構造及びフロントデスクトップパネルＦＰの支持構造について説明する。
【００３０】
まず、フロントデスクトップパネルＦＰは、図６、図７、図８及び図１０に示すように、全体として概略矩形板状をなすものであり、矩形板状をなす芯材ＦＰ１と、その両表面側を被覆するようにそれぞれ取り付けられる表面板ＦＰ２、ＦＰ２の合計３枚の板材を貼り合わせた構造を有するものである。そして、フロントデスクトップパネルＳＰの底面に開口させてその両側端部に、芯材ＦＰ１及び表面板ＦＰ２、ＦＰ２に亘る円筒状の孔部ＦＰ３、ＦＰ３を形成している。
【００３１】
このようなフロントデスクトップパネルＦＰの両側端部を支持するフロントデスクトップパネル用支持部材６は、例えばアルミダイキャスト等による起立板状をなす一体成形品であり、サイドデスクトップパネル用支持部材とは異なり全体が略直線状の形状をなしている。フロントデスクトップパネル用支持部材６の後端部には、側部支持軸Ｎ１の下端部を上方から挿入させるための支持孔６１を形成している。また、前後方向中央部から前端部に亘る領域には、上下に貫通させた貫通孔６２を略一直線状に並べて複数形成している。そして、いずれか一つの貫通孔６２を天板受け２の後端部に形成した内側のタップ孔２ｄに下方から一致させ、下方から貫通孔６２に挿入したボルト６Ｂ１をタップ孔２ｄに締着することによって、このフロントデスクトップパネル用支持部材６をサイドデスクトップパネル用支持部材４の内側方に並べた状態で天板受け２に取り付けている。その際、フロントデスクトップパネル用支持部材６を天板受け２に隙間なく取り付けるために、フロントデスクトップパネル用支持部材６の上面は天板受け２の底壁及び後壁２４の外面形状に対応させて、前端部側を低く且つ後端部側を高くしてその境界を滑らかに湾曲させて連続した形状としている。またこのとき、支持孔６１の中心は、天板１の反使用縁１ａの後方に位置付けられるようにしている。側部支持軸Ｎ１は、このようにして天板受け２に取り付けられたフロントデスクトップパネル用支持部材６の後端部の支持孔６１に下端部を挿入した状態で配置される金属製軸状部材である。そして、フロントデスクトップパネルＦＰの両側端部において、この側部支持軸Ｎ１、Ｎ１の上端部をフロントデスクトップパネルＦＰの左右の孔部ＦＰ３、ＦＰ３にそれぞれ挿入することによって、フロントデスクトップパネルＦＰを起立姿勢で支持している。そしてこの状態で、フロントデスクトップパネルＦＰ及びサイドデスクトップパネルＳＰの上縁同士及び下縁同士をそれぞれ同一の高さ位置に位置付けている。
【００３２】
なお、このような構成のデスクにおいては、図１３に示すように、天板１の反使用縁１ｂ側において、天板１上のパーソナルコンピュータＰＣ等の機器類の配線コードＣを収容し案内する配線トレイ７や、天板１の下方空間を隠蔽するための幕板８等を設けることができる。本実施形態では、サイドデスクトップパネル用支持部材４やフロントデスクトップパネル用支持部材６に干渉させることなく、配線トレイ７を天板受け２に着脱可能に取り付けられる配線トレイ用ブラケット７１を介して取り付け、幕板８を配線トレイ用ブラケット７１に取り付けられる幕板用ブラケット７１を介して取り付けるようにしているため、サイドデスクトップパネルＳＰやフロントデスクトップパネルＦＰの着脱、サイドデスクトップパネル用支持部材４やフロントデスクトップパネル用支持部材６の着脱、或いは天板１の天板移動機構Ｘを介した前後移動及びそれに伴うサイドデスクトップパネルＳＰの回動動作には、配線トレイ７及び幕板８の存在並びにこれらの取付構造は一切干渉しない。
【００３３】
以上に説明したように、本実施形態のデスクＤでは、サイドデスクトップパネルＳＰを天板受け２にサイドデスクトップパネル用支持部材６及び後部支持軸Ｍ１を介して且つこの後部支持軸Ｍ１を中心に回動可能に支持させており、さらにサイドデスクトップパネルＳＰを天板１の上方に離間させて配置しているため、図１に想像線で示すように、クランプ部材５を移動させない側の天板１の前縁１ａに沿ってサイドデスクトップパネルＳＰと共に移動させるだけで、サイドデスクトップパネルＳＰを天板受け２から取り外すことなく前端部側を回動動作させて一方の天板１側へ一時的に退避させることによって、他方の天板１の前後移動を簡単に行い、配線作業を効率的にことができる。さらに、隣接配置されるデスクＤ、Ｄの天板１、１同士の境界となる側縁１ｂ、１ｂ上に幅方向中央部を合致させて、一方のデスクＤにのみ付帯させてサイドデスクトップパネルＳＰを配置するようにしているため、これら隣接する何れか一方の天板１のみの使用領域が不当に狭められることがなく、いずれの天板１も等しく適当な広さで使用することができる。特に天板１は、天板移動機構Ｘによって前後にスライド移動させる構成を採用しており、反使用縁１ｂ側に配線トレイ７を設ける場合には前方へ天板１を移動させることによって配線トレイ７を上方へ開放し配線コードＣを出し入れする作業を行うことができるようにしている。また、フロントデスクトップパネルＦＰもサイドデスクトップパネルＳＰと同様に、フロントデスクトップパネル用支持部材６及び側部支持部材Ｎ１を介してコンパクトに天板受け２に取り付けているので、サイドデスクトップパネルＳＰの回動動作や天板１の前後動作に支障を来すことがない。さらに、このような構成とすることで、複数のデスクＤを隣接配置した後で、サイドデスクトップパネルＳＰ及びフロントデスクトップパネルＦＰを配置又は取り外すことができるため、これらの必要に応じた着脱動作を容易に行うことができる。
【００３４】
なお、本発明のデスクは上述した実施形態に限られるものではない。例えばサイドデスクトップパネルの前端部は、クランプ部材以外の部材を用いて天板受けに支持させることができる。例えばサイドデスクトップパネルの前端部を天板の使用縁の前方に位置付けるようなものとするとともに、当該前端部に下方へ開口する支持孔を形成する一方、天板受けの前端部には後端部に取り付けられるサイドデスクトップパネル用支持部材と同様のものをその前端部が天板の前縁よりも前方に位置付けられるように取り付け、サイドデスクトップパネルの前端部及び後端部共に同様の支持軸を介して天板の側縁上に配置するようにしてもよい。また、フロントデスクトップパネルの支持構造も上述したものに限らず適宜の構成とすることができる。その他、サイドデスクトップパネルやフロントデスクトップパネルの、これらを支持する支持部材及び支持軸等の各部の具体的形状や構成についても上記実施形態に限られるものではなく、本発明の趣旨を逸脱しない範囲で種々変形が可能である。
【００３５】
【発明の効果】
本発明は、以上に詳述したように、例えば隣接配置される天板の上方空間同士を間仕切りするためにサイドデスクトップパネルを設けるに際して、天板受けの後端部に取り付けられるサイドデスクトップパネル用支持部材及びこのサイドデスクトップパネル用支持部材に対して着脱可能且つ回動可能にサイドデスクトップパネルの後端部を支持させ、その状態でサイドデスクトップパネルを天板の側縁上に位置付けるように構成したものである。このため、デスクに天板を前後スライドさせる天板移動機構を設けたとしても、サイドデスクトップパネルの少なくとも後端部側の支持構造を干渉させずに天板を容易に移動させることができるので、このようなデスクを複数隣接配置した場合に、サイドデスクトップパネルを一方の天板側へ一時的に回動することにより退避させておけば、他方の天板の前後動作を容易に行うことができ、配線作業などの簡便さをも向上することができる。そのうえ、一方のデスクにのみサイドデスクトップパネルを取り付ければ、隣接する天板同士を効果的に区画できるので、部品点数の削減やコストダウンを図ることも可能である。さらに、サイドデスクトップパネルを天板やフロントデスクトップパネルにではなく、天板受けに支持させていることから、隣接配置後のデスクにサイドデスクトップパネルを後付けし又は撤去する作業性を格段に向上することができる。しかも、隣接配置されるデスクの一方の天板側に偏ることなく両方の天板に対して略均等にサイドデスクトップパネルを配置することができるので、いずれの天板においても適正な使用領域を確保することができる。また、デスクにフロントデスクトップパネルをサイドデスクトップパネルと直接的な関わりなく設けることによって、サイドデスクトップパネル単独の着脱を容易に行うことが可能である。
【図面の簡単な説明】
【図１】本発明の一実施形態のデスクを複数台隣接配置した状態を示す後方斜視図。
【図２】同正面図。
【図３】同平面図。
【図４】同デスクを示す側面図。
【図５】同デスクの天板移動機構を示す部分分解後方斜視図。
【図６】同デスクの反使用端側における構造を示す部分分解後方斜視図。
【図７】同組立状態を示す部分後方斜視図。
【図８】同部分拡大斜視図。
【図９】同デスクのサイドデスクトップパネルの後端部側における取付構造を示す部分断面図。
【図１０】同デスクのフロントデスクトップパネルの位置側端部側における取付構造を示す部分断面図。
【図１１】同デスクの使用端側における構造を示す部分分解斜視図。
【図１２】同組立状態を示す部分斜視図。
【図１３】同デスクに配線トレイ及び幕板を取り付けた状態を示す側面図。
【符号の説明】
Ｄ…デスク
ＦＰ…フロントデスクトップパネル
ＳＰ…サイドデスクトップパネル
Ｍ１…後部支持軸
Ｍ２…前部支持軸
Ｎ１…側部支持軸
Ｘ…天板移動機構
１…天板
１ａ…反使用縁
１ｂ…側縁
１ｃ…使用縁
２…天板受け
３…脚体
４…サイドデスクトップパネル用支持部材
５…クランプ部材
６…フロントデスクトップパネル用支持部材
【図１】
2004229825.tif 000003
【図２】
2004229825.tif 000004
【図３】
2004229825.tif 000005
【図４】
2004229825.tif 000006
【図５】
2004229825.tif 000007
【図６】
2004229825.tif 000008
【図７】
2004229825.tif 000009
【図８】
2004229825.tif 000010
【図９】
2004229825.tif 000011
【図１０】
2004229825.tif 000012
【図１１】
2004229825.tif 000013
【図１２】
2004229825.tif 000014
【図１３】
2004229825.tif 000015